(57)【要約】【課題】容器本体のコーナ部にラベルが貼られた場合に、そのラベルを容易に剥がすことができる運搬用容器を提供する。【解決手段】底壁部１２と、該底壁部１２とから立設された４側壁部１４，１６，１８，２０とから、各コーナ部Ｒが湾曲した容器本体１０が構成される運搬用容器において、前記側壁部の湾曲したコーナ部外面に、略水平方向、格子状などのリブ２８を設けたことを特徴としている。【選択図】図１
2008056359.tif 000002
【特許請求の範囲】
【請求項１】
底壁部と、該底壁部から立設された４側壁部と、前記４側壁部の上部側に水平方向に延出された上部フランジと、前記４側壁部の下部側に水平方向に延出された下部フランジとから、各四隅のコーナ部外面が湾曲した容器本体が形成されている運搬用容器において、
前記側壁部の湾曲した各四隅のコーナ部外面に、略水平方向のリブを所定間隔置きに設けたことを特徴とする運搬用容器。
【請求項２】
底壁部と、該底壁部から立設された４側壁部と、前記４側壁部の上部側に水平方向に延出された上部フランジと、前記４側壁部の下部側に水平方向に延出された下部フランジとから、各四隅のコーナ部外面が湾曲した容器本体が形成されている運搬用容器において、
前記側壁部の湾曲した各四隅のコーナ部外面に、格子状のリブを設けたことを特徴とする運搬用容器。
【請求項３】
底壁部と、該底壁部から立設された４側壁部と、前記４側壁部の上部側に水平方向に延出された上部フランジと、前記４側壁部の下部側に水平方向に延出された下部フランジとから、各四隅のコーナ部外面が湾曲した容器本体が形成されているとともに、
前記各四隅のコーナ部外面における前記下部フランジから湾曲面に向かって第１の斜め板が、前記各四隅のコーナ部外面における前記上部フランジから湾曲面に向かって第２の斜め板が金型の型開きと同時に形成され、かつこれら第１の斜め板の先端部と第２の斜め板の先端部との間が所定距離離間されている運搬用容器において、
前記側壁部の湾曲した各四隅のコーナ部外面に、該コーナ部の中心線を境に一方側に略水平方向のリブを所定間隔置きに設け、他方側に略垂直方向のリブを所定間隔置きに設け、この垂直方向のリブの断面形状は先端部の形状が金型の抜け方向から逃げるように傾斜していることを特徴とする運搬用容器。
【発明の詳細な説明】
【技術分野】
【０００１】
本発明は、運搬用容器に関し、詳しくは、容器本体の側壁部外面等にラベルを貼着し、搬送する物品に関する情報を、貼着されたラベルにより、容易に識別できるようにした運搬用容器に関する。
【背景技術】
【０００２】
例えば、食品工場などでは、出荷する食品の管理を行うために、合成樹脂からなる運搬用容器の側面にバーコードなどが記載されたラベルを貼着し、このラベルによって、製造ライン、搬送先、個数、また種別などを識別させる場合がある。
【０００３】
このような運搬用容器では、図７に示したように、容器本体２の平坦な外面等に、複数本のリブ４を設けて、ここに貼られたラベルを使用後に剥がし易くしている。
【発明の開示】
【発明が解決しようとする課題】
【０００４】
ところで、図７に示したように、例えば、短手側の一対の側壁部に取っ手６，６が設けられている場合は、通常、この取っ手６を避けてラベルが貼られるため、取っ手６が大きいと、湾曲したコーナ部Ｒにも、ラベルの一部が貼られることになる。
【０００５】
しかしながら、コーナ部Ｒにはリブ４が設けられていないため、コーナ部Ｒにラベルが貼られてしまうと、ラベルが剥がれずに、一部残ってしまうという問題があった。
この問題を解決するには、コーナ部Ｒにシボ加工等を施すこと、あるいはリブ４を設けることなどが考えられるが、シボ加工では効果が低い。また、コーナ部Ｒは、上記のように湾曲しているため、ここにリブを設ける場合は、下記のような問題がある。
【０００６】
すなわち、図８に示したように、コーナ部Ｒに、その曲面ｒの法線方向（矢印Ｐ方向）に通常のリブ４を設けると、金型８の抜き方向Ａと、リブ４の形成方向Ｐとが異なるため、金型８を型抜きする場合に、破線で示したリブ４の一部が金型８に衝突して切除されてしまう。
【０００７】
本発明は、このような実情に鑑み、容器本体のコーナ部にラベルが貼られた場合に、そのラベルを容易に剥がすことができる運搬用容器を提供することを目的としている。
また、コーナ部にリブを設けてラベルを剥がしやすくするときに、リブの一部が切除されることのない運搬用容器を提供することを目的としている。
【課題を解決するための手段】
【０００８】
上記目的を達成するための本発明は、
底壁部と、該底壁部から立設された４側壁部と、前記４側壁部の上部側に水平方向に延出された上部フランジと、前記４側壁部の下部側に水平方向に延出された下部フランジとから、各四隅のコーナ部外面が湾曲した容器本体が形成されている運搬用容器において、
前記側壁部の湾曲した各四隅のコーナ部外面に、略水平方向のリブを所定間隔置きに設けたことを特徴としている。
【０００９】
また、本発明は、底壁部と、該底壁部から立設された４側壁部と、前記４側壁部の上部側に水平方向に延出された上部フランジと、前記４側壁部の下部側に水平方向に延出された下部フランジとから、各四隅のコーナ部外面が湾曲した容器本体が形成されている運搬用容器において、
前記側壁部の湾曲した各四隅のコーナ部外面に、格子状のリブを設けたことを特徴としている。
【００１０】
さらに、本発明は、底壁部と、該底壁部から立設された４側壁部と、前記４側壁部の上部側に水平方向に延出された上部フランジと、前記４側壁部の下部側に水平方向に延出された下部フランジとから、各四隅のコーナ部外面が湾曲した容器本体が形成されているとともに、
前記各四隅のコーナ部外面における前記下部フランジから湾曲面に向かって第１の斜め板が、前記各四隅のコーナ部外面における前記上部フランジから湾曲面に向かって第２の斜め板が金型の型開きと同時に形成され、かつこれら第１の斜め板の先端部と第２の斜め板の先端部との間が所定距離離間されている運搬用容器において、
前記側壁部の湾曲した各四隅のコーナ部外面に、該コーナ部の中心線を境に一方側に略水平方向のリブを所定間隔置きに設け、他方側に略垂直方向のリブを所定間隔置きに設け、この垂直方向のリブの断面形状は先端部の形状が金型の抜け方向から逃げるように傾斜していることを特徴としている。
このような構成であれば、ラベルがコーナ部に貼られても、そのラベルを容易に剥がすことができる。
【発明の効果】
【００１１】
本発明に係る運搬用容器によれば、ラベルとの接着力を弱めるリブがコーナ部にも設けられているので、ラベルを容器本体のどこにでも貼ることができる。また、ラベルの一部がコーナ部にかかる場合であっても、そのラベルを容易に剥がすことができる。また、コーナ部に垂直方向のリブを設ける場合に、そのリブを金型の抜き方向に対して逃げるように傾斜して設ければ、コーナ部に略垂直方向のリブを形を崩さずに設けることができる。さらに、リブの断面形状を左右非対称にすれば、剥離性が向上するとともに、接着力を任意に設定することができる。
【発明を実施するための最良の形態】
【００１２】
以下、図面を参照しながら本発明の実施例について説明する。
図１は本発明の一実施例による運搬用容器を示したものである。この運搬用容器では、底壁部１２と該底壁部１２から立設された４側壁部１４，１６，１８，２０とから、一方面が開口した容器本体１０が形成されている。また、４側壁部１４，１６，１８，２０のうち、短手側の一対の側壁部１４，１６には、容器本体１０を手で持ち上げる取っ手２２，２２が、側壁１４，１６に沿って幅方向に長く形成されている。
【００１３】
さらに、この運搬用容器では、側壁部の下部側に下部フランジ５０が水平方向に形成され、側壁部の上部側に上部フランジ３０が水平方向に形成されている。また、隣接する２つの側壁部間の四隅のコーナ部Ｒでは、その外面に、下部フランジ５０から上方の湾曲面に向かって第１の斜め板５２が設置されるとともに、上部フランジ３０から下方の湾曲面に向かって第２の斜め板５４が設置されている。そして、これら第１の斜め板部５２と第２の斜め板部５４との間は所定間隔離間されている。
【００１４】
一方、側壁部１８，２０には、通風性、洗浄性のため、さらには、内部の物品の有無を確認することのできる窓２４が横方向に形成されている。さらに、側壁部１４，１６，１８，２０の平坦面、すなわち取っ手２２，２２の両側には、縦方向に延びる複数のリブ２６が所定間隔置きに形成されている。このようなリブ２６を設けることにより、ここにラベルを貼ったときのラベルの接着力が小さくなり、ラベルを剥がし易くなっている。
【００１５】
さらに、本実施例では、あらゆる箇所にラベルを貼ることができるように、隣接する２つの側壁部間のコーナ部Ｒにも、リブ２８が設けられている。図１に示した例では、リブ
２８は、所定間隔置きに略水平方向に形成されている。このような水平方向のリブ２８は、型成形上、何ら問題なく形成することができる。本実施例のように、コーナ部Ｒにもリブ２８を形成すれば、平坦面からコーナ部Ｒに跨ってラベルが貼られた場合であっても、そのラベルを容易に剥がすことができる。また、コーナ部全体にラベルが貼られた場合であっても、そのラベルを容易に剥がすことができる。
【００１６】
以上、本発明の一実施例について説明したが、本発明は上記実施例に何ら限定されない。
例えば、コーナ部Ｒのリブ２８は略水平方向に形成されていなくても、図２に示したリブ３２のように、垂直方向に所定間隔置きに形成されていても良い。
【００１７】
ここで、底壁部１２に対して垂直方向のリブ３２を設ける場合、図３に示したように、これを型成形する際に以下のような注意が必要になる。
すなわち、容器本体１０を型成形するにあたり、例えば、側壁部１８を形成するための金型８をＡ方向に引き抜く場合に、コーナ部Ｒに形成されるリブ３２が金型８に引っ掛からないようにする必要がある。コーナ部Ｒでは、４５°の角度で隣接する金型同士が当接するように配置されるので、一方の金型８を引き抜くときに、リブ３２に引っ掛からないようにするには、図３において、金型８の型抜き方向Ａより、リブ３２の傾斜角度Ｃを右側にする必要がある。
【００１８】
このように、リブ３２が図３に示した状態で、Ａより右側に傾斜していれば、金型８を引き抜く場合に、リブ３２の一部が金型８により切除されることはない。仮に、一点鎖線で示したようなリブ３２'を設けた場合は、その傾斜角度である直線Ｃ'は、直線Ａの左側になってしまい、その場合は、金型８を矢印Ａ方向に引き抜く場合に、リブ３２'の一部
が金型の角部３６で切除されてしまうことになる。このように、リブ３２が金型の抜け方向Ａから逃げるように、傾斜して形成されていれば、リブ３２が変形することはない。
【００１９】
図４は本発明のさらに他の実施例を示したものである。この実施例では、コーナ部Ｒに、格子状のリブ３８を設けた例である。このようなリブ３８であっても、上記各実施例と同様の作用効果を奏することができる。
【００２０】
また、図５に示したように、コーナ部Ｒの中心線Ｑを境に、一方側を略水平方向のリブ４２とし、他方側を略垂直方向のリブ４４として、コーナ部Ｒの左右で形状を変えることもできる。
【００２１】
さらに、図５に示したように、コーナ部Ｒに垂直方向のリブ４６を設ける場合、リブ４６の中心線Ｓを境に左右非対称に形成することもできる。このように左右非対称にすれば、ラベル接合部の粘着力を適宜調整することができる。
【００２２】
さらに、このようにラベルの剥離性を考慮したラベル接合部は、食品や部品など様々な物品を運搬する容器に適用できるのは勿論である。
【図面の簡単な説明】
【００２３】
【図１】図１は本発明の一実施例による運搬用容器の斜視図である。
【図２】図２は本発明の他実施例による運搬用容器の側面図である。
【図３】図３は、図２に示した他実施例による運搬用容器を金型で作成する場合のコーナ部の概略断面図である。
【図４】図４は、本発明のさらに他実施例による運搬用容器のコーナ部の斜視図である。
【図５】図５は、本発明のさらに他実施例による運搬用容器のコーナ部の正面である。
【図６】図６は、略垂直方向にリブを設ける場合の拡大断面図である。
【図７】図７は、従来の運搬用容器の斜視図である。
【図８】図８は、従来の運搬用容器を金型で作成する場合のコーナ部の概略断面図である。
【符号の説明】
【００２４】
１０                   容器本体
１２                   底壁部
１４，１６，１８，２０ 側壁部
３０                   上部フランジ
２８，３２，３８，４６ リブ
５０                   下部フランジ
５２                   第１の斜め板
５４                   第２の斜め板
Ｒ                     コーナ部
【図１】
2008056359.tif 000003
【図２】
2008056359.tif 000004
【図３】
2008056359.tif 000005
【図４】
2008056359.tif 000006
【図５】
2008056359.tif 000007
【図６】
2008056359.tif 000008
【図７】
2008056359.tif 000009
【図８】
2008056359.tif 000010